(57)【要約】【課題】  ロック機構を複数まとめて解除できる構造にすると共に、標準規格のＤＶＤケース等とほぼ同じ大きさに形成されたＤＶＤ等の収納ケースを提供する。【解決手段】  情報記録媒体が収納される本体部１２と、該本体部１２にヒンジ部１３を介して合体自在に形成した蓋体１４と、合体した前記本体部１２及び蓋体１４の内部に挿入して合体状態をロックするロックプレート１５とからなり、前記蓋体１４の内部には、係合部３０ｂを有し、前記ロックプレート１５には、前記係合部３０ｂと係合可能な板バネ３９を備えた情報記録媒体の収納ケース１１である。【選択図】      図２
2006082830.tif 000002
【特許請求の範囲】
【請求項１】
情報記録媒体が収納される本体部と、該本体部にヒンジ部を介して合体自在に形成した蓋体と、合体した前記本体部及び蓋体の内部に挿入して合体状態をロックするロックプレートとからなり、
前記蓋体の内部には、係合部を有し、
前記ロックプレートには、前記係合部と係合可能な板バネを備えたことを特徴とする情報記録媒体の収納ケース。
【請求項２】
前記板バネは、Ｕ字状に形成され、該板バネの間に、少なくとも先端部に磁石が設けられた棒状の解除具を挿入して、前記係合部と板バネとの係合状態を解除するように構成したことを特徴とする請求項１に記載の収納ケース。
【発明の詳細な説明】
【技術分野】
【０００１】
本発明は、ＤＶＤ（デジタル・ビデオ・ディスク）やＣＤ（コンパクト・ディスク）等の情報記録媒体を納める収納ケースに関するものであり、更に詳しくは、防犯タグを保持した状態でロック（施錠）しておくことができる収納ケースに関するものである。
【背景技術】
【０００２】
従来、この種の収納ケースとしては、次のような構成のものが知られている。この収納ケースは、ＤＶＤ等が収納される本体部と、この本体部の端部にヒンジ部によって折曲自在に設けられると共に本体部と合体する蓋体と、合体した本体部及び蓋体に嵌め合わせて合体状態をロックするホルダーとから構成される。また、ホルダーには、ロック機構が設けられている（特許文献１参照）。
【０００３】
ロック機構は、板バネと、この板バネによって突出状態が保持されるロック部材とから構成されている。ロック機構の解除は、強力な磁石を備えた所定の解錠装置を用いて行い、この解錠装置の凹部にロック機構を挿入することにより、板バネを磁力で広げてロック部材との係合を解除する。
【特許文献１】特開２００４−１３１１２８号公報（第１頁、図１乃至図９）。
【発明の開示】
【発明が解決しようとする課題】
【０００４】
この従来例の収納ケースにおいては、解錠装置の凹部に収納ケースのロック機構を挿入して解除するが、複数の収納ケースのロック機構を一度にまとめて解除することが困難である。従って、多数の収納ケースを扱う場合には、解除作業が煩雑であるという欠点を有する。
【０００５】
また、本体部及び蓋体には、ホルダーを嵌め合わせる部位を設ける必要があり、その結果、一般に市販される標準規格のＤＶＤケース等と比較して大型になるという不都合がある。
【０００６】
従って、従来例における収納ケースにおいては、収納ケースのロック機構を一度に複数まとめて解除できる構造にすることと、一般に市販される標準規格のＤＶＤケース等とほぼ同じ大きさに形成すると共に、収納ケースを無理矢理こじ開けられない堅牢な構造を保つこととに解決しなければならない課題を有している。
【課題を解決するための手段】
【０００７】
前記従来例の課題を解決する具体的手段として本発明は、情報記録媒体が収納される本体部と、該本体部にヒンジ部を介して合体自在に形成した蓋体と、合体した前記本体部及び蓋体の内部に挿入して合体状態をロックするロックプレートとからなり、前記蓋体の内部には、係合部を有し、前記ロックプレートには、前記係合部と係合可能な板バネを備えたことを特徴とする情報記録媒体の収納ケースを提供するものである。
【０００８】
また、前記板バネは、Ｕ字状に形成され、該板バネの間に、少なくとも先端部に磁石が設けられた棒状の解除具を挿入して、前記係合部と板バネとの係合状態を解除するように構成したものである。
【発明の効果】
【０００９】
本発明に係る収納ケースは、情報記録媒体が収納される本体部と、該本体部にヒンジ部を介して合体自在に形成した蓋体と、合体した前記本体部及び蓋体の内部に挿入して合体状態をロックするロックプレートとからなり、前記蓋体の内部には、係合部を有し、前記ロックプレートには、前記係合部と係合可能な板バネを備えたことによって、特に、収納ケースの内部にロックプレートを挿入してロックする構造なので、従来例のようにホルダーを嵌め合わせる部位が必要ない。従って、従来例よりも小形で、一般に市販される標準規格のＤＶＤケース等とほぼ同様な大きさに形成できると共に、堅牢な構造を保つことができるという優れた効果を奏する。
【００１０】
また、前記板バネは、Ｕ字状に形成され、該板バネの間に、少なくとも先端部に磁石が設けられた棒状の解除具を挿入して、前記係合部と板バネとの係合状態を解除するように構成したことによって、簡易な解除具でロックの解除が簡単に行えるという優れた効果を奏する。
また、棒状の解除具を所定間隔毎に複数設けた解錠装置を使用すれば、複数の収納ケースのロックをまとめて同時に解除できるので、多数の収納ケースを扱う場合には便利である。
【発明を実施するための最良の形態】
【００１１】
次に、本発明の実施の形態について図面を参照しながら説明する。まず、図１から図４において、符号１１は収納ケースを示し、この収納ケース１１は、ＤＶＤ等が収納される本体部１２と、この本体部１２の端部にヒンジ部１３によって折曲自在に設けられると共に本体部１２に被った状態で合体する蓋体１４と、合体した本体部１２及び蓋体１４の内部に挿入して合体状態をロックするロックプレート１５とから構成される。
【００１２】
本体部１２及び蓋体１４は、プラスチック等の合成樹脂材で形成されており、適度な剛性と弾性とを有していると共に、内部に収納したＤＶＤ等の円盤状情報記録媒体を外部から視認できるように透明又は半透明に形成されている。また、本体部１２及び蓋体１４の大きさは、所定規格のＤＶＤ等を収納できる所要の大きさである。
【００１３】
本体部１２のほぼ中央位置には、ＤＶＤ等の中央に形成された中央孔（図示せず）を係止する円状の係止部１６が形成されており、この係止部１６の外周縁にＤＶＤ等の中央孔の内周縁を係止させるのである。
【００１４】
また、本体部１２には、収納するＤＶＤ等の外周縁が沿う位置に円弧状の凸条部１７、１７が形成されている。この凸条部１７は、ＤＶＤ等を係止部１６に係止させるときに案内部材の役目を果たすので、ＤＶＤ等を所定位置に容易に納めることができる。
【００１５】
一方の凸状部１７の近傍には、凸状の枠部１８が設けられている。この枠部１８は、補強部材の役目を有すると共に、挿入されるロックプレート１５の案内部材の役目を有している。
【００１６】
枠部１８の近傍には、凸状の直線状部１９、１９が設けられている。この直線状部１９は、挿入されるロックプレート１５の案内部材の役目を果たす。
【００１７】
本体部１２の両端には、側板２０、２１が設けられており、一方の側板２０には、ロックプレート１５が挿通可能な長孔２２が設けられている。この長孔２２は、後述する蓋体１４の長孔２８と重なり合い、長孔２２と長孔２８とが、挿入されたロックプレート１５の基部１５ａ側を保持して、収納ケース１１の開成を阻止する。
【００１８】
他方の側板２１の内側には、凹部２３が設けられており、この凹部２３に挿入されたロックプレート１５の先端部１５ｂが嵌り込んで保持される。このとき、凹部２３の近傍には、ロックプレート１５が挿通した状態で、蓋体１４の門部３２が位置するので、ロックプレート１５の先端部１５ｂ近傍が門部３２に当接して、収納ケース１１の開成を阻止する。
【００１９】
本体部１２のヒンジ部１３側に対向する端部には、天板２４が設けられており、この天板２４の内側には、係止片２５が設けられている。この係止片２５の近傍には、後述する蓋体１４の係止片３５が位置するように構成されていると共に、係止片２５と係止片３５との配設高さが、互い違いになるように構成されている。そして、係止片２５と係止片３５との互い違いの間にロックプレート１５の端部１５ｃが位置するように構成されている。つまり、ロックプレート１５の端部１５ｃを挟んだ状態で係止片２５と係止片３５とが位置するので、収納ケース１１の開成を阻止することとなる。
【００２０】
また、天板２４の外側には、突部３３が設けられており、この突部３３は、本体部１２と蓋体１４とを合体したときに、蓋体１４の切欠部３６に係止する。
【００２１】
蓋体１４の両端には、側板２６、２７が設けられており、一方の側板２６には、ロックプレート１５が挿通可能な長孔２８が設けられている。長孔２８は、前述のように、長孔２２と重なり合って、挿入されたロックプレート１５の基部１５ａ側を保持して、収納ケース１１の開成を阻止する。
【００２２】
長孔２８の近傍には、図４及び図５に示すように、フラットアーチ状の門部２９が設けられており、この門部２９の横長の挿通口２９ａにロックプレート１５が挿通可能なように構成されている。
【００２３】
門部２９の近傍には、図４及び図５に示すように、一対の枠体３０、３０が設けられている。この枠体３０、３０は、テーパー状の傾斜部３０ａ、３０ａと、係合部３０ｂ、３０ｂとを有しており、枠体３０、３０の間をロック部材３８が挿通可能なように形成されている。
【００２４】
枠体３０の近傍には、凸状の直線状部３１、３１が平行に設けられている。この直線状部３１、３１は、挿入されるロックプレート１５の案内部材の役目を果たす。
【００２５】
他方の側板２７の近傍には、フラットアーチ状の門部３２が設けられており、この門部３２の横長の挿通口３２ａにロックプレート１５が挿通可能なように構成されている。そして、この門部３２は、前述のように、凹部２３に嵌り込んだロックプレート１５の先端部１５ｂ近傍が当接して、収納ケース１１の開成を阻止する。
【００２６】
蓋体１４のヒンジ部１３側に対向する端部には、天板３４が設けられており、この天板３４の近傍には、Ｌ字状の係止片３５が設けられている。この係止片３５の近傍には、前述のように、係止片２５が互い違いに位置するように構成されており、この係止片３５と係止片２５との互い違いの間にロックプレート１５の端部１５ｃが位置するように構成されている。つまり、ロックプレート１５の端部１５ｃを挟んだ状態で係止片３５と係止片２５とが位置するので、収納ケース１１の開成を阻止する。
【００２７】
また、天板３４には、切欠部３６が形成されており、本体部１２と蓋体１４とを合体したときに、切欠部３６に本体部１２の突部３３が係止する。
【００２８】
次に、ロックプレート１５について説明する。ロックプレート１５は、図６から図８に示すように、長方形状のプレート本体３７と、プレート本体３７の一端部に設けられた長板３７ａと、プレート本体３７に設けられたロック部材３８と、防犯タグ４６とを有する。
【００２９】
プレート本体３７は、所要幅を有すると共に、蓋体１４の側板２６と側板２７との間隔よりもやや短い長さである。
【００３０】
ロック部材３８は、図８に示すように、Ｕ字状に折り曲げて形成された板バネ３９と、この板バネ３９を保持する保持部４０、及び保持片４１、４２、４３を有する。また、板バネ３９の先端部には、Ｌ字状部３９ａ、３９ａを有する。
【００３１】
長板３７ａには、解除具４４を挿入するための切欠部３７ｂが形成されている。
【００３２】
以上のような構成のロックプレート１５は、図１に示すように、合体した本体部１２及び蓋体１４の長孔２８から挿入して、ロックプレート１５の先端部１５ｂが側板２１の凹部２３に嵌り込むまで押し込む。
【００３３】
このとき、ロック部材３８が枠体３０、３０の間を挿通すると共に、板バネ３９のＬ字状部３９ａ、３９ａが傾斜部３０ａ、３０ａを移動する。この移動に伴い、板バネ３９は、内側に収縮した状態になる。そして、ロックプレート１５をさらに押し込むと、Ｌ字状部３９ａ、３９ａが傾斜部３０ａ、３０ａを通過する。次に、板バネ３９が反発してＬ字状部３９ａ、３９ａが係合部３０ｂ、３０ｂに係合して（図９参照）、ロックプレート１５がロックされた状態になる。
【００３４】
板バネ３９と係合部３０ｂとの係合状態を解除するときには、図１０に示すように、棒状で先端部に磁石４４ａを有する解除具４４を、切欠部３７ｂから挿入して、板バネ３９のＬ字状部３９ａ、３９ａを解除具４４方向に引き寄せる。このように、板バネ３９と係合部３０との係合状態を解除して、ロックプレート１５を収納ケース１１の外に引き出せばよい。
【００３５】
なお、解除具４４は、図１１に示すように、棒状の解除具４４を所定間隔毎に複数設けた解錠装置４５を使用すれば、複数の収納ケース１１のロックをまとめて同時に解除することが可能である。
【図面の簡単な説明】
【００３６】
【図１】本発明に係る収納ケース１１の斜視図である。
【図２】収納ケース１１を開いた状態の、本体部１２及び蓋体１４の斜視図である。
【図３】本体部１２の平面図である。
【図４】蓋体１４の平面図である。
【図５】蓋体１４の要部を示す斜視図である。
【図６】ロックプレート１５の平面図である。
【図７】ロックプレート１５の側面図である。
【図８】ロック部材３８を拡大した斜視図である。
【図９】板バネ３９と係合部３０ｂとの係合状態を説明する、蓋体１４の要部を示す平面図である。
【図１０】板バネ３９と係合部３０ｂとの係合を解除する状態を説明する、蓋体１４の要部を示す平面図である。
【図１１】解除装置４５の斜視図である。
【符号の説明】
【００３７】
１１  収納ケース
１２  本体部
１３  ヒンジ部
１４  蓋体
１５  ロックプレート
１５ａ基部
１５ｂ先端部
１５ｃ端部
１６  係止部
１７  凸条部
１８  枠部
１９  直線状部
２０、２１側板
２２  長孔
２３  凹部
２４  天板
２５  係止片
２６、２７側板
２８  長孔
２９  門部
２９ａ挿通口
３０  枠体
３０ａ傾斜部
３０ｂ係合部
３１  直線状部
３２  門部
３２ａ挿通口
３３  突部
３４  天板
３５  係止片
３６  切欠部
３７  プレート本体
３７ａ長板
３７ｂ切欠部
３８  ロック部材
３９  板バネ
３９ａＬ字状部
４０  保持部
４１、４２、４３保持片
４４  解除具
４４ａ磁石
４５  解錠装置
４６  防犯タグ
【図１】
2006082830.tif 000003
【図２】
2006082830.tif 000004
【図３】
2006082830.tif 000005
【図４】
2006082830.tif 000006
【図５】
2006082830.tif 000007
【図６】
2006082830.tif 000008
【図７】
2006082830.tif 000009
【図８】
2006082830.tif 000010
【図９】
2006082830.tif 000011
【図１０】
2006082830.tif 000012
【図１１】
2006082830.tif 000013